【手続補正書】
【提出日】平成20年3月27日(2008.3.27)
【手続補正１】
【補正対象書類名】明細書
【補正対象項目名】特許請求の範囲
【補正方法】変更
【補正の内容】
【特許請求の範囲】
【請求項１】  像担持体と、前記像担持体上にトナー像を形成する像形成手段と、前記像担持体上のトナー像を転写材に転写する転写手段と、を有し、画像形成装置が設置される床面に対する受け部を装置本体に４箇所以上設けた画像形成装置において、
前記受け部のうち２個所の受け部はそれぞれ、前記装置本体に対して鉛直方向に移動可能な可動脚と、前記可動脚を床面に対して弾性的に付勢する付勢手段とを有することを特徴とする画像形成装置。
【請求項２】  前記付勢手段は圧縮コイルバネであり、そのバネ圧は前記可動脚で受ける前記装置本体の重量より小さい荷重に設定されていることを特徴とする請求項１に記載の画像形成装置。
【請求項３】  前記像担持体と前記像形成手段及び前記転写手段は複数設けられていることを特徴とする請求項１または２に記載の画像形成装置。
【請求項４】  複数の前記像担持体は略垂直方向に配置されており、画像形成装置は、各々の前記像担持体の略水平方向に配置されたスキャナユニットと、最下部位置の前記像担持体の下方に配置された給紙部と、最上部位置の前記像担持体の上方に配置された定着手段と、全ての前記像担持体に接し、かつ前記給紙部から給送された転写材を前記定着手段まで搬送する静電転写ベルトユニットと、を有することを特徴とする請求項３に記載の画像形成装置。
【請求項５】  前記受け部は４個所であり、前記装置本体の重心は、前記可動脚以外の２個所の不動脚と、前記可動脚１個所で作られる三角形の内部となるように脚位置が設定されていることを特徴とする請求項１乃至４のいずれか一項に記載の画像形成装置。
【請求項６】  前記２個所の不動脚は、前記像担持体の下方で、かつ前記像担持体の長手方向両側に配置されていることを特徴とする請求項５に記載の画像形成装置。
【請求項７】  像担持体と、前記像担持体上にトナー像を形成する像形成手段と、前記像担持体上のトナー像を転写材に転写する転写手段と、を有し、画像形成装置が設置される床面に対する受け部を装置本体に４箇所以上設けた画像形成装置において、
前記受け部のうち２個所の受け部それぞれの近傍に、前記装置本体に対して鉛直方向に移動可能で、かつ床面に対して付勢手段により弾性的に付勢される可動部材を配置したことを特徴とする画像形成装置。
【請求項８】  前記装置本体の重心が、近傍に前記可動部材がない２個所の受け部と、近傍に前記可動部材がある１個所の受け部で作られる三角形の内部となるよう前記受け部と前記可動部材の位置が設定されていることを特徴とする請求項７に記載の画像形成装置。
【請求項９】  前記付勢手段は圧縮コイルバネであり、そのバネ圧は近接する受け部が受ける装置本体の重量より小さい荷重に設定されていることを特徴とする請求項７または８に記載の画像形成装置。
【請求項１０】  前記像担持体と前記像形成手段及び前記転写手段は複数設けられていることを特徴とする請求項７乃至９のいずれか一項に記載の画像形成装置。
【請求項１１】  複数の前記像担持体は略垂直方向に配置されており、画像形成装置は、各々の前記像担持体の略水平方向に配置されたスキャナユニットと、最下部位置の前記像担持体の下方に配置された給紙部と、最上部位置の前記像担持体の上方に配置された定着手段と、全ての前記像担持体に接し、かつ前記給紙部から給送された転写材を前記定着手段まで搬送する静電転写ベルトユニットと、を有することを特徴とする請求項１０に記載の画像形成装置。
【請求項１２】  近傍に前記可動部材がない２個所の受け部は、前記像担持体の下方で、かつ前記像担持体の長手方向両側に配置されていることを特徴とする請求項１１に記載の画像形成装置。
【手続補正２】
【補正対象書類名】明細書
【補正対象項目名】０００９
【補正方法】変更
【補正の内容】
【０００９】
また、図９に示すように、前記上下本体間３点受けとすると、左右カセットレール１０３を橋渡しするようなステー１０６の強度が問題になってしまう。ステー１０６に本体荷重がかかるため、ステー１０６のたわみが発生しないような曲げ剛性の高いステー１０６が必要になる。
【手続補正３】
【補正対象書類名】明細書
【補正対象項目名】００１２
【補正方法】変更
【補正の内容】
【００１２】
【課題を解決するための手段】
上記目的を達成するために、本発明は、像担持体と、前記像担持体上にトナー像を形成する像形成手段と、前記像担持体上のトナー像を転写材に転写する転写手段と、を有し、画像形成装置が設置される床面に対する受け部を装置本体に４個所以上設けた画像形成装置において、前記受け部のうち2個所の受け部はそれぞれ、前記装置本体に対して鉛直方向に移動可能な可動脚と、前記可動脚を床面に対して弾性的に付勢する付勢手段とを有することで、いかなる凹凸の床面に装置本体を設置した際でも複数の作像系（感光体ドラム、スキャナユニット）の相互位置関係が崩れることがなく、画像色ずれの発生を抑制でき、装置本体のフレーム精度が保証された多色の画像形成装置が実現できる。
【手続補正４】
【補正対象書類名】明細書
【補正対象項目名】００１３
【補正方法】変更
【補正の内容】
【００１３】
また、前記受け部を４個所に設け、前記装置本体の重心が、前記可動脚以外の2個所の脚（不動脚）と、前記可動脚１個所で作られる三角形の内部となるように脚位置（可動脚及び不動脚の位置）を設定することで、凹凸のある床面に設置された際、可動脚が確実に機能し、凹凸による影響を最小限にすることができる。
【手続補正５】
【補正対象書類名】明細書
【補正対象項目名】００１４
【補正方法】変更
【補正の内容】
【００１４】
さらに、前記付勢手段を圧縮コイルバネとし、そのバネ圧を前記可動脚で受ける装置本体の重量より小さい荷重に設定することで、低コストで上記課題が達成でき、床面が凹凸している場合のみ可動脚が作用するため、装置本体を凹凸のない床面に設置した際は装置本体がぐらつくことがなく使用できる。
【手続補正６】
【補正対象書類名】明細書
【補正対象項目名】００１５
【補正方法】変更
【補正の内容】
【００１５】
さらに、前記画像形成装置は、略垂直方向に複数個配置された像担持体と、それぞれの前記像担持体の略水平方向に配置されたスキャナユニットと、最下部位置の前記像担持体下方に配置された給紙部と、最上部位置の前記像担持体の上方に配置された定着手段と、すべての像担持体に接し、かつ前記給紙部から給送された転写材を前記定着手段まで搬送する静電転写ベルトユニットと、を有する。そして、前記２個所の不動脚を、前記像担持体の下方で、かつ前記像担持体の長手方向両側に配置することで、前記付勢手段の弾性的動作が画像形成に影響することを最小限にすることができる。
【手続補正７】
【補正対象書類名】明細書
【補正対象項目名】００１６
【補正方法】変更
【補正の内容】
【００１６】
また、前記可動脚の床面凹凸吸収機能と本体受け機能と分離させた構成、つまり、画像形成装置が設置される床面に対する受け部を装置本体に４個所以上設け、前記受け部のうち2個所の受け部それぞれの近傍に、装置本体に対して鉛直方向に移動可能で、かつ床面に対して付勢手段により弾性的に付勢される可動部材を配置することでも同様に本課題を達成できる。
【手続補正８】
【補正対象書類名】明細書
【補正対象項目名】００１８
【補正方法】変更
【補正の内容】
【００１８】
図１に示す多色画像形成装置１００は、垂直方向に並設された４個の感光体ドラム１（１ａ，１ｂ，１ｃ，１ｄ）を備えている。感光体ドラム１は、駆動手段（不図示）によって、同図中、反時計回りに回転駆動される。感光体ドラム１の周囲には、その回転方向に従って順に、感光体ドラム１表面を均一に帯電する帯電装置２（２ａ、２ｂ、２ｃ、２ｄ）、画像情報に基づいてレーザービームを照射し感光体ドラム１上の静電潜像を形成するスキャナユニット３（３ａ、３ｂ、３ｃ、３ｄ）、静電潜像にトナーを付着させてトナー像として現像する現像装置４（４ａ、４ｂ、４ｃ、４ｄ）、感光体ドラム１上のトナー像を転写材Ｓに転写させる静電転写装置５、転写後の感光体ドラム１の表面に残った転写残トナーを除去するクリーニング装置６（６ａ、６ｂ、６ｃ、６ｄ）等が配設されている。
【手続補正９】
【補正対象書類名】明細書
【補正対象項目名】００１９
【補正方法】変更
【補正の内容】
【００１９】
ここで、感光体ドラム１と帯電装置２、現像装置４、クリーニング装置６は一体的にカートリッジ化されプロセスカートリッジ７（７ａ、７ｂ、７ｃ、７ｄ）を形成している。
【手続補正１０】
【補正対象書類名】明細書
【補正対象項目名】００２３
【補正方法】変更
【補正の内容】
【００２３】
スキャナユニット３は、感光体ドラム１の略水平方向に配置され、レーザーダイオード（不図示）によって画像信号に対応する画像光が、スキャナモーター（不図示）によって高速回転されるポリゴンミラー９（９ａ、９ｂ、９ｃ、９ｄ）に照射される。ポリゴンミラー９に反射した画像光は、結像レンズ１０（１０ａ、１０ｂ、１０ｃ、１０ｄ）を介して帯電済みの感光体ドラム１表面を選択的に露光して静電潜像を形成するように構成している。
【手続補正１１】
【補正対象書類名】明細書
【補正対象項目名】００３７
【補正方法】変更
【補正の内容】
【００３７】
図２に示すように、感光体ドラム１（１ａ、１ｂ、１ｃ、１ｄ）の長手方向両端部には本体左側板２５ａ、本体右側板２５ｂが設けられている。また、両側板２５ａと２５ｂの下方には底板２６が、また上方には天板２７がそれぞれ両側板とビスで締結されて上本体１００ａが形成されている。
【手続補正１２】
【補正対象書類名】明細書
【補正対象項目名】００４４
【補正方法】変更
【補正の内容】
【００４４】
次に、可動脚４１の取り付けについて図３、図４に基づいて説明する。図３は可動脚４１の斜視図である。可動脚４１は前述のように樹脂で成型され、有底の円筒形状に形成され、爪４３が外周の２個所に一体的に形成されている。爪４３は周囲にスリット穴４４が形成されることで弾性的に変形可能になっている。
【手続補正１３】
【補正対象書類名】明細書
【補正対象項目名】００５０
【補正方法】変更
【補正の内容】
【００５０】
次に、脚位置の設定について図７を用いて説明する。図７はフルカラーレーザービームプリンタ１００を下方からみた図である。感光体ドラム1を破線で示す。図7に示すように、本体を支持する脚は左右脚２８（２８ａ、２８ｂ）に一体的に成型された脚３２（３２ａ、３２ｂ）の２個所と、可動脚４１（４１ａ、４１ｂ）の計４個所としている。可動脚位置の設定で重要なのは、本体の重心と脚位置の関係になる。本体重心Ｇは脚３２（３２ａ、３２ｂ）の２個所と可動脚４１ａで形成される三角形の中にあること、かつ脚３２（３２ａ、３２ｂ）の２個所と可動脚４１ｂで形成される三角形の中にあるよう脚位置を設定している。
【手続補正１４】
【補正対象書類名】明細書
【補正対象項目名】００５７
【補正方法】変更
【補正の内容】
【００５７】
本実施の形態の中で、本体の受け部に弾性部材を用いることで本体振動の増幅が考えられるが、受け面の位置を工夫することで対応できる。つまり、図１のように、左右脚２８の受け面３２の位置は、感光体ドラム１の略鉛直下の２点とすることで、画像形成に重要な感光体ドラム１、紙送り部の荷重をしっかり支えることができ、画像への振動の影響をなくすことが可能である。また、この２点の受け面にゴム脚を利用することで装置本体の滑り止めの機能を持たせることができる。
【手続補正１５】
【補正対象書類名】明細書
【補正対象項目名】００６３
【補正方法】変更
【補正の内容】
【００６３】
【発明の効果】
以上説明したように、本発明によれば、簡単な部品構成で凹凸吸収機構が構成されているため、低コスト化が達成できた。これにより、凹凸のある床面に本体を設置した際にも作像系（感光体ドラム、スキャナ）の相互位置関係が崩れることないため、画像色ずれの問題がなくなった。
【手続補正１６】
【補正対象書類名】図面
【補正対象項目名】図１
【補正方法】変更
【補正の内容】
【図１】
2002287452.tif 000001
【手続補正１７】
【補正対象書類名】図面
【補正対象項目名】図３
【補正方法】変更
【補正の内容】
【図３】
2002287452.tif 000002
【手続補正１８】
【補正対象書類名】図面
【補正対象項目名】図５
【補正方法】変更
【補正の内容】
【図５】
2002287452.tif 000003
【手続補正１９】
【補正対象書類名】図面
【補正対象項目名】図８
【補正方法】変更
【補正の内容】
【図８】
2002287452.tif 000004